(57)【要約】【課題】  施工時に目地材のずれや外れがなく、簡単かつ精度よく施工できる外壁パネル間目地接合部構造を提供する。【解決手段】  外壁パネル１の上端面は、屋外側上端面部１ａａ、屋内側上端面部１ａｂ、両端面部間の段差面部１ａｃからなり、下端面は、その下の外側パネル１の屋外側上端面部、屋内側上端面部、段差面部に対向する屋外側下端面部１ｂａ、屋内側下端面部１ｂｂ、段差面部１ｂｃからなる。先端で押し付け合い、上下の外壁パネル間の目地１９Ａを密封する一対の目地材２を設ける。目地材２は、幅広がりの埋め込み部２ｂで外壁パネル１に埋め込み固定する。屋内側下端面部１ｂｂにピン嵌合孔３を設け、これに嵌まる嵌合ピン４を屋内側上端面部１ａｂに設ける。嵌合ピン４に調整ナット５を設け、その高さ調整により屋内側下端面部１ｂｂを持ち上げて目地幅を調整する。【選択図】      図３
2010242324.tif 000002
【特許請求の範囲】
【請求項１】
コンクリート，セメント系材料からなる上下の外壁パネルの間における目地の接合部構造であって、
下側外壁パネルの上端面を、屋外側上端面部、屋内側上端面部、および両上端面部間の段差面部からなり、屋外側上端面部が屋内側上端面部よりも下側に位置する段付き断面形状とし、上側外壁パネルの下端面を、前記下側外側パネルの屋外側上端面部、屋内側上端面部、および段差面にそれぞれ対向する屋外側下端面部、屋内側下端面部、および段差面部からなる段付き断面形状とし、
互いに先端で押し付け合って下側外壁パネルの上端面と上側外壁パネルの下端面との間の目地を密封する一対の目地材を設け、これら一対の目地材は、それぞれ埋め込み方向の奥側が幅広がりとなる埋め込み部を有していて、これら埋め込み部で上側外壁パネルの屋外側下端面部および下側外壁パネルの屋外側上端面部に埋め込み状態に固定され、
上側外壁パネルの屋内側下端面部にピン嵌合孔を設けると共に、下側外壁パネルの屋内側上端面部に、上端が前記ピン嵌合孔に嵌まり込む嵌合ピンを下部で埋め込み状態に設置し、この嵌合ピンに嵌合しねじ込み高さの調整により前記上側外壁パネルの屋内側下端面部を持ち上げて目地幅の調整を可能とする調整ナットを設けた
ことを特徴とする外壁パネル間目地接合部構造。
【請求項２】
請求項１において、前記外壁パネルの裏面の上部に、建物躯体に対して前記外壁パネルを取付けるパネル取付具を設け、このパネル取付具は、取付ボルトが嵌まるルーズ孔を有し、このルーズ孔に嵌まった取付ボルトで前記外壁パネルの裏面に押し付け状態に取付け、前記取付ボルトのボルト頭と前記パネル取付具のボルト押し付け面との間に、弾性体からなる座金状の変位吸収体を設けた外壁パネル間目地接合部構造。
【発明の詳細な説明】
【技術分野】
【０００１】
この発明は、建物の外装用のカーテンウォール等に使用されるコンクリート系，セメント系の外壁パネルの上下間における目地の接合部構造に関する。
【背景技術】
【０００２】
カーテンウォールや既存建物の外装用に使用される外壁パネルとして、ガラス繊維補強コンクリート（ＧＲＣ）からなる壁板の裏面に鉄骨フレームを組み付けてなるものがある。このような外壁パネルの上下間や左右間の目地には、湿式シーリングを施す場合と目地材を設けて乾式目地とする場合とがある。また、外壁パネルの上下間の目地幅を揃えるためには外壁パネルの高さ調整が必要となるが、その高さ調整用として、外壁パネルの鉄骨フレームとこれを取り付ける床スラブの鉄骨梁との間に介在させるファスナに高さ調整機構を設ける構成が一般的に採用されている。
【先行技術文献】
【特許文献】
【０００３】
【特許文献１】特開平７−７６８８８号公報
【特許文献２】特開２００７−３９９５９号公報
【発明の概要】
【発明が解決しようとする課題】
【０００４】
しかし、湿式シーリング工法を施した目地では、耐久性に懸念があり、シール打ち替え等の手間がかかる。また、従来の乾式目地では、外壁パネルの製作後に、目地材を外壁パネルの上下端面や両側面に貼り付けているが、貼付け精度に限界があるうえ、貼り付けられた目地材が荷吊り時や施工時にずれたり剥がれるという問題もある。また、外壁パネルの高さ調整をファスナに設けた高さ調整機構で行う場合、人工数が増え手間がかかるだけでなく、ファスナの部品点数も増え高さ調整が難しいという問題がある。
【０００５】
この発明の目的は、施工時に目地材のずれや外れがなく、かつ外壁パネルの位置決め施工が容易で、簡単かつ精度よく施工できる外壁パネル間目地接合部構造を提供することである。
この発明の他の目的は、外壁パネルの層間変位角を吸収できて、外壁パネルの取付部に無理な荷重が作用せず、耐震性に優れたものとでき、かつ外壁パネルの位置決め施工をより一層容易にすることである。
【課題を解決するための手段】
【０００６】
この発明の外壁パネル間目地接合部構造は、コンクリート，セメント系材料からなる上下の外壁パネルの間における目地の接合部構造であって、下側外壁パネルの上端面を、屋外側上端面部、屋内側上端面部、および両端面部間の段差面部からなり、屋外側上端面部が屋内側上端面部よりも下側に位置する段付き断面形状とし、上側外壁パネルの下端面を、前記下側外側パネルの屋外側上端面部、屋内側上端面部、および段差面部にそれぞれ対向する屋外側下端面部、屋内側下端面部、および段差面部からなる段付き断面形状とし、  互いに先端で押し付け合って下側外壁パネルの上端面と上側外壁パネルの下端面との間の目地を密封する一対の目地材を設け、これら一対の目地材は、それぞれ埋め込み方向の奥側が幅広がりとなる埋め込み部を有していて、これら埋め込み部で上側外壁パネルの屋外側下端面部および下側外壁パネルの屋外側上端面部に埋め込み状態に固定され、
上側外壁パネルの屋内側下端面部にピン嵌合孔を設けると共に、下側外壁パネルの屋内側上端面部に、上端が前記ピン嵌合孔に嵌まり込む嵌合ピンを下部で埋め込み状態に設置し、この嵌合ピンに嵌合しねじ込み高さの調整により前記上側外壁パネルの屋内側下端面部を持ち上げて目地幅の調整を可能とする調整ナットを設けたことを特徴とする。
この構成によると、一対の目地材は、それぞれ埋め込み方向の奥側が幅広がりとなる埋め込み部を有していて、これら埋め込み部で上側外壁パネルの屋外側下端面部および下側外壁パネルの屋外側上端面部に埋め込み状態に固定されているので、施工時の外壁パネルの引き込み等によって目地材のねじれや外れがない。また、成形型枠に目地材を設置することで、外壁パネルの屋外側上端面部や屋外側下端面部に精度良く埋め込み固定できるので、目地の水密性を向上させることができる。
また、上側外壁パネルの屋内側下端面部にピン嵌合孔を設けると共に、下側外壁パネルの屋内側上端面部に、上端が前記ピン嵌合孔に嵌まり込む嵌合ピンを下部で埋め込み状態に設置し、この嵌合ピンに嵌合しねじ込み高さの調整により前記上側外壁パネルの屋内側下端面部を持ち上げて目地幅の調整を可能とする調整ナットを設けたため、ピン嵌合孔に嵌合ピンを嵌合させるだけで、上下の外壁パネルの間での幅方向，出入り方向の位置調整が不要となる。また、調整ナットを回して嵌合ピンへのねじ込み高さを調整することで上側外壁パネルを持ち上げることにより、上下の外壁パネルの間の目地幅を容易に調整することができる。その結果、施工時に目地材のずれや外れがなく、簡単かつ精度よく施工できる。上記嵌合ピンのナットで高さ調整できるため、外壁パネルを躯体に取付けるファスナ部での位置調整の機能が不要で、ファスナ部の部品点数が削減されると共に、調整作業が容易で、人工数、手間が削減できる。
【０００７】
この発明において、前記外壁パネルの裏面の上部に、建物躯体に対して前記外壁パネルを取付けるパネル取付具を設け、このパネル取付具は、取付ボルトが嵌まるルーズ孔を有し、このルーズ孔に嵌まった取付ボルトで前記外壁パネルの裏面に押し付け状態に取付け、前記取付ボルトのボルト頭と前記パネル取付具のボルト押し付け面との間に、弾性体からなる座金状の変位吸収体を設けても良い。
この構成の場合、外壁パネルが上下方向に変位しても、その変位を前記変位吸収体で吸収することができる。また、上下方向の変位だけでなく、回転方向への変形も変位吸収体で吸収することができる。そのため、外壁パネルの層間変位角を吸収できて、外壁パネルの取付部に無理な荷重が作用せず、耐震性に優れたものとなる。また、建物躯体に対して外壁パネルを取付けるパネル取付具は、このパネル取付具を外壁パネルの裏面に押し付け状態に取付ける取付ボルトが嵌まるルーズ孔を有するので、パネル取付具に対して外壁パネルを移動させることで、建物躯体に対する外壁パネルの位置調整を容易に行うことができる。その結果、部品点数の増加を招くことなく外壁パネルの位置調整を容易に行うことができる。
【発明の効果】
【０００８】
この発明の外壁パネル間目地接合部構造は、コンクリート，セメント系材料からなる上下の外壁パネルの間における目地の接合部構造であって、下側外壁パネルの上端面を、屋外側上端面部、屋内側上端面部、および両上端面部間の段差面部からなり、屋外側上端面部が屋内側上端面部よりも下側に位置する段付き断面形状とし、上側外壁パネルの下端面を、前記下側外側パネルの屋外側上端面部、屋内側上端面部、および段差面部にそれぞれ対向する屋外側下端面部、屋内側下端面部、および段差面部からなる段付き断面形状とし、互いに先端で押し付け合って下側外壁パネルの上端面と上側外壁パネルの下端面との間の目地を密封する一対の目地材を設け、これら一対の目地材は、それぞれ埋め込み方向の奥側が幅広がりとなる埋め込み部を有していて、これら埋め込み部で上側外壁パネルの屋外側下端面部および下側外壁パネルの屋外側上端面部に埋め込み状態に固定され、上側外壁パネルの屋内側下端面部にピン嵌合孔を設けると共に、下側外壁パネルの屋内側上端面部に、上端が前記ピン嵌合孔に嵌まり込む嵌合ピンを下部で埋め込み状態に設置し、この嵌合ピンに嵌合しねじ込み高さの調整により前記上側外壁パネルの屋内側下端面部を持ち上げて目地幅の調整を可能とする調整ナットを設けたため、施工時に目地材のずれや外れがなく、簡単かつ精度よく施工できる。
【図面の簡単な説明】
【０００９】
【図１】この発明の一実施形態である外壁パネル間目地接合部構造が適用される外壁パネルの縦断面図である。
【図２】同外壁パネルからなるカーテンウォールの概略構成を示す縦断面図である。
【図３】外壁パネル間目地接合部構造の縦断面図である。
【図４】（Ａ）は外壁パネル間目地接合部構造の部分拡大断面図、（Ｂ）は目地材の断面図、（Ｃ）は同目地材の外壁パネルへの組込み工程説明図である。
【図５】外壁パネル間目地接合部構造の水平断面図である。
【図６】外壁パネルの変形の説明図である。
【図７】外壁パネルに対するパネル取付具の自由度を示す説明図である。
【発明を実施するための形態】
【００１０】
この発明の一実施形態を図面に基づいて説明する。この実施形態の外壁パネル間目地接合部構造は、コンクリート，セメント系材料からなる上下の外壁パネルの間における目地の接合部構造である。図１はこの外壁パネル間目地接合部構造が適用される外壁パネルの縦断面図を示し、図２はその外壁パネルからなるカーテンウォールの概略構成の縦断面図を示す。具体的には、外壁パネル１は、ガラス繊維補強コンクリート（ＧＲＣ）の成形品からなる外壁パネル本体１′の屋外面にタイル等の外面化粧材３１を貼り付けたものである。この外壁パネル１の上端面１ａは、屋外側上端面部１ａａと、屋内側上端面部１ａｂと、これら両上端面部１ａａ，１ａｂ間の段差面部１ａｃとでなり、屋外側上端面部１ａａは屋内側上端面部１ａｂよりも下側に位置する段付き断面形状とされている。
【００１１】
また、外壁パネル１の下端面１ｂも、屋外側下端面部１ｂａと、屋内側下端面部１ｂｂと、これら両下端面部１ｂａ，１ｂｂの間の段差面部１ｂｃとでなり、屋外側下端面部１ｂａは屋内側下端面部１ｂｂよりも下側に位置する段付き断面形状とされている。そして、上下に配置した２つの外壁パネル１Ａ，１Ｂの間では、上側外壁パネル１Ａの下端面１ｂの屋外側下端面部１ｂａ、屋内側下端面部１ｂｂ、および段差面部１ｂｃが、下側外壁パネル１Ｂの上端面１ａの屋外側上端面部１ａａ、屋内側上端面部１ａｂ、および段差面部１ａｃにそれぞれ対向する。
【００１２】
外壁パネル１の上端面１ａには、その上側の外壁パネル１の下端面１ｂとの間の横目地１９Ａ（図３）を密封する１つの目地材２が設けられる。また、外壁パネル１の下端面１ｂにも、その下側の外壁パネル１の上端面１ａとの間の横目地１９Ａを密封する１つの目地材２が設けられる。つまり、前記２つの目地材２は互いに先端で押し付けあって、下側外壁パネル１Ｂの上端面１ａと上側外壁パネル１Ａの下端面１ｂとの間の横目地１９Ａを密封する。これら一対の目地材２，２は、図４（Ｂ）に断面図で示すように、合成ゴムなどの弾性部材からなる長尺の成形品であり、断面概形が中空方形の本体部２ａと、この本体部２ａよりも幅狭で、本体部２ａの長手方向に沿って一体に設けられた埋め込み部２ｂとでなる。このように、目地材２の本体部２ａを中空方形の断面概形とすることで、一対の目地材２の先端の本体部２ａが互いに押し付けあって圧縮変形した状態でも、両本体部２ａの接触面が広くなり水密性が向上する。目地材２の材料としてシリコーン系スポンジを採用した場合、耐久性が向上する。
【００１３】
これら目地材２は、その埋め込み部２ｂで、上側外壁パネル１Ａの屋外側下端面部１ｂａ、および下側外壁パネル１Ｂの屋外側上端面部１ａａに埋め込み状態に固定される。これら目地材２の埋め込み部２ｂは、その埋め込み方向の奥側が幅広がりとなる断面形状とされている。これにより、外壁パネル１への目地材２の固定が確実なものとなり、目地材２を手で引っ張っても、外壁パネル１から目地材２が簡単に剥がれることがない。
【００１４】
目地材２の外壁パネル１への埋め込み固定は、図４（Ｃ）のように、外壁パネル１の成形型枠２０の前記屋外側上端面部１ａａと屋外側下端面部１ｂａとなる各内面部分に目地材収容溝２１を設け、この目地材収容溝２１に目地材２の本体部２ａを押し込み、埋め込み部２ｂを成形型枠２０の内側に突出させた状態で、成形型枠２０内にコンクリートを打設し外壁パネル１を成形することで行なわれる。これにより、外壁パネル１への目地材２の設置の位置精度を向上させることができ、上下の外壁パネル１Ａ，１Ｂの間の横目地１９Ａにおいて、対向する１対の目地材２，２の間に位置違いや位置ずれが生じるのを防止できる。目地材２の本体部２ａは中空方形の断面概形とされているので、外壁パネル１への埋め込み固定において、目地材本体部２ａを前記成形型枠２０の目地材収容溝２１へ圧縮変形させて容易に収容させることができ、これにより成形型枠２０からの目地材２の脱落を防止できる。
【００１５】
外壁パネル１の屋内側下端面部１ｂｂには、上方に延びるピン嵌合孔３が設けられる。また、外壁パネル１の屋内側上端面部１ａｂには、その上側の外壁パネル１Ａの屋内側下端面部１ｂｂの前記ピン嵌合孔３に嵌まり込む嵌合ピン４が下部で埋め込み状態に設置される。ピン嵌合孔３および嵌合ピン４は、例えば外壁パネル１の左右両側に分けて配置される。嵌合ピン４の周面には雄ねじが形成され、嵌合ピン４の前記屋内側上端面部１ａｂから突出する部分に調整ナット５が螺合している。嵌合ピン４の外壁パネル１への埋め込み設置も、目地材２の場合と同様に、外壁パネル１の成形型枠２０の前記屋内側上端面部１ａｂとなる内面部分に嵌合ピン挿入孔（図示せず）を設け、この嵌合ピン挿入孔に嵌合ピン４の上部を挿入し、嵌合ピン４の下部を成形型枠２０の内側に突出させた状態で、成形型枠２０内にコンクリートを打設し外壁パネル１を成形することで行なわれる。このように、成形時に嵌合ピン４を配置するので嵌合ピン４の位置ずれが生じにくい。
【００１６】
外壁パネル１の屋内側上端面部１ａｂに埋め込み設置した嵌合ピン４を、その上側の外壁パネル１Ａの屋内側下端面部１ｂｂに設けられたピン嵌合孔３に嵌合させることで、上下の外壁パネル１Ａ，１Ｂの位置決めが行なわれる。また、嵌合ピン４に螺合する調整ナット５のねじ込み高さを調整して、上側外壁パネル１Ａの屋内側下端面部１ｂｂを調整ナット５で持ち上げることにより、上側外壁パネル１Ａの下端面１ｂと下側外壁パネル１Ｂの上端面１ａの間の目地幅を調整することができる。この場合の嵌合ピン４とピン嵌合孔３の間のクリアランスは、例えば±１ｍｍに設定される。上下の外壁パネル１Ａ，１Ｂの間に要求される位置決め精度は約３ｍｍであり、上記クリアランスで十分に対応することができる。
【００１７】
図１，図３に示すように、外壁パネル１の裏面の上部には、建物躯体に対して外壁パネル１を取付けるパネル取付具６が設けられる。このパネル取付具６は、断面Ｌ字形のアングル材からなり、その縦辺部６ａが取付ボルト７で外壁パネル１に取付けられる。外壁パネル１内には、前記取付ボルト７が螺合するナット８が埋め込み状態に設置される。このナット８は、外壁パネル１の成形型枠２０（図４（Ｃ））内にコンクリート打設前に配置されるメッシュ筋９（図４）の一部に溶接して固定される。
【００１８】
パネル取付具６の縦辺部６ａは、取付ボルト７が内部で上下に、または上下左右に移動可能に嵌まるルーズ孔１０を有し、このルーズ孔１０に嵌まった取付ボルト７で外壁パネル１の裏面に押し付け状態に取付けられる。また、取付ボルト７のボルト頭７ａとパネル取付具６のボルト押し付け面との間には、ゴム等の弾性体からなる座金状の変位吸収体１１が設けられる。具体的には、変位吸収体１１は第１の座金１２のルーズ孔１２ａ内に収容され、この座金１２と取付ボルト７のボルト頭７ａとの間に第２の座金１３が設けられる。
【００１９】
パネル取付具６を介して外壁パネル１が取付けられる建物躯体は、ここでは床スラブ１４の鉄骨梁１５である。このように、鉄骨梁１５にパネル取付具６を介して外壁パネル１を取付けることにより、床スラブ１４の施工がされていない鉄骨梁１５のみの段階でも、台座等を取付けることなく、パネル取付具６を鉄骨梁１５に容易に取付けることができる。パネル取付具６の縦辺部６ａには、その横辺部６ｂと平行に突出する板状のファスナ１６が溶接等により設けられ、このファスナ１６に横辺部６ｂと対向してボルト１７が螺合させてある。このボルト１７とパネル取付具６の横辺部６ｂとで鉄骨梁１５の上部フランジ１５ａを挟み付けることにより、外壁パネル１が建物躯体である鉄骨梁１５に取付けられる。これにより、床スラブ１４の精度によらず、床スラブ１４への外壁パネル１の取付施工を精度良く行うことができる。
【００２０】
なお、図５に平面図で示すように、各外壁パネル１の両側面にも、上下端面１ａ，１ｂの場合と同様の目地材２が縦方向に延びて埋め込み状態に設置され、左右の外壁パネル１，１の間の縦目地１９Ｂが互いに先端で押し付け合う一対の目地材２，２により密封される。図５では、外壁パネル１の上端面１ａの目地材２の図示を省略しているが、上下端面１ａ，１ｂの目地材２と同じ屋外側の位置に縦方向に延びる目地材２が設けられる。縦目地１９Ｂの目地材２の設置位置よりも屋内側には、合成ゴムなどの弾性部材からなる長尺状の二次止水材１８が設けられる。また、上下の外壁パネル１Ａ，１Ｂ間の横目地１９Ａにも、縦目地１９Ｂの二次止材１８と同じ屋内側の位置に長尺状の二次止水材１８が横方向に延びて設けられる。
【００２１】
このように、この構成の外壁パネル間目地接合構造によると、下側外壁パネル１Ｂの上端面１ａおよび上側外壁パネル１Ａの下端面１ｂを対向する段付き断面形状とし、互いに先端で押し付け合って横目地１９Ａを密封する一対の目地材２，２を設け、これら一対の目地材２，２は、それぞれ埋め込み方向の奥側が幅広がりとなる埋め込み部２ｂで埋め込み状態に固定されている。そのため、施工時の外壁パネル１の引き込み等によって目地材２のねじれや外れがない。また、成形型枠２０に目地材２を設置することで、外壁パネル１の屋外側上端面部１ａａや屋外側下端面部１ｂａに精度良く埋め込み固定できるので、横目地１９Ａの水密性を向上させることができる。
【００２２】
また、上側外壁パネル１Ａの屋内側下端面部１ｂｂにピン嵌合孔３を設けると共に、下側外壁パネル１Ｂの屋内側上端面部１ａｂに、上端が前記ピン嵌合孔３に嵌まり込む嵌合ピン４を下部で埋め込み状態に設置し、この嵌合ピン４に嵌合しねじ込み高さの調整により前記上側外壁パネル１Ａの屋内側下端面部１ｂｂを持ち上げて目地幅の調整を可能とする調整ナット５を設けたため、ピン嵌合孔３に嵌合ピン４を嵌合させるだけで、上下の外壁パネル１Ａ，１Ｂの間でのパネル幅方向および出入り方向の位置調整が不要となる。また、調整ナット５を回して嵌合ピン４へのねじ込み高さを調整することで上側外壁パネル１Ａを持ち上げることにより、上下の外壁パネル１Ａ，１Ｂの間の横目地１９Ｂの目地幅を容易に調整することができる。その結果、施工時に目地材２のずれや外れがなく、簡単かつ精度よく施工できる。また、嵌合ピン４のナット５で高さ調整できるため、外壁パネル１を躯体に取付けるファスナ部等のパネル取付具６での位置調整の機能が不要で、パネル取付具６の部品点数が削減されると共に、調整作業が容易で、人工数、手間が削減できる。
【００２３】
また、この実施形態では、外壁パネル１の裏面の上部に、建物躯体である床スラブ１４の鉄骨梁１５に対して前記外壁パネル１を取付けるパネル取付具６を設け、このパネル取付具６は、取付ボルト７が嵌まるルーズ孔１０を有し、このルーズ孔１０に嵌まった取付ボルト７で前記外壁パネル１の裏面に押し付け状態に取付け、前記取付ボルト７のボルト頭７ａと前記パネル取付具６のボルト押し付け面との間に、弾性体からなる座金状の変位吸収体１１を設けているので、図６に矢印Ｐで示すように外壁パネル１が上下方向に変位しても、その変位を前記変位吸収体１１で吸収することができる。また、上下方向の変位だけでなく、回転方向への変形も変位吸収体１１で吸収することができる。このように、外壁パネル１の層間変位角を吸収できて、外壁パネル１の取付部に無理な荷重が作用せず、耐震性に優れたものとなる。また、床スラブ１４の鉄骨梁１５に対して外壁パネル１を取付けるパネル取付具６は、このパネル取付具６を外壁パネル１の裏面に押し付け状態に取付ける取付ボルト７が嵌まるルーズ孔１０を有するので、図７に矢印Ｑで示すようにパネル取付具６に対して外壁パネル１を移動させることで、床スラブ１４に対する外壁パネル１の位置調整を容易に行うことができる。その結果、部品点数の増加を招くことなく外壁パネル１の位置調整を容易に行うことができる。
【００２４】
この実施形態の外壁パネル間目地接合部構造によると、整理すると次の各利点を得ることができる。
・施工時に外壁パネル１の引き込み等によって目地材２の捩じれや外れが生じない。
・目地材２を型枠２０に設置して外壁パネル１を成形することで、外壁面からの目地材２の納まり精度が良くなり、水密性能も良好となる。
・目地材２にシリコーンゴム系スポンジを採用することで、耐久性が向上する。
・嵌合ピン４の差し込みの施工により、下部の調整の必要がなくなる。そのため、外壁パネル１の施工の位置決めが行い易くなる。
・嵌合ピン４の差し込みにより、外壁パネル１の左右，出入り等の精度が良く、ずれが生じ難い。
・嵌合ピン４に螺合した調整ナット５の回転により、外壁パネル１の上下方向の調整が容易となる。これにより、ファスナ部に上下調整手段を設けることが不要で、ファスナの部品点数が削減される。
・変位吸収体１１により、外壁パネル１の層間変位角が吸収できる。
【符号の説明】
【００２５】
１…外壁パネル
１ａ…上端面
１ａａ…屋外側上端面部
１ａｂ…屋内側上端面部
１ａｃ…段差面部
１ｂ…下端面
１ｂａ…屋外側下端面部
１ｂｂ…屋内側下端面部
１ｂｃ…段差面部
２…目地材
２ａ…目地材の本体部
２ｂ…目地材の埋め込み部
３…ピン嵌合孔
４…嵌合ピン
５…調整ナット
６…パネル取付具
７…取付ボルト
７ａ…ボルト頭
１０…ルーズ孔
１１…変位吸収体
１４…床スラブ（建物躯体）
１９Ａ…横目地
【図１】
2010242324.tif 000003
【図２】
2010242324.tif 000004
【図３】
2010242324.tif 000005
【図４】
2010242324.tif 000006
【図５】
2010242324.tif 000007
【図６】
2010242324.tif 000008
【図７】
2010242324.tif 000009